(57)【要約】【課題】簡単な構成により、環境光が変化しても良好な画像を得ることができるプロジェクターシステム、及びスクリーン装置を提供する。【解決手段】プロジェクションシステム１では、環境光検出手段２４により最も強い環境光の照射角度を検出し、検出した照射角度に関する角度情報に基づいてスクリーン２７１を選択する。従って、簡単な構成により、環境光の照射角度が変化しても、環境光の影響が少なくなるように、最適なピークゲインを有するスクリーン２７１を選択することができる。【選択図】図２
2010224399.tif 000002
【特許請求の範囲】
【請求項１】
投写領域のピークゲインが異なる複数のスクリーンと、
前記投射領域の環境光を検出する環境光検出手段と、
前記環境光検出手段で検出された環境光に基づいて、前記複数のスクリーンのいずれかを選択するスクリーン選択手段と、
前記スクリーン選択手段により選択されたスクリーンに画像を投射するプロジェクターと、
を備えることを特徴とするプロジェクションシステム。
【請求項２】
請求項１に記載のプロジェクションシステムにおいて、
前記プロジェクターは、表示画質の異なる複数の表示モードを有し、
前記複数の表示モードのいずれかを選択する表示モード選択手段を備えている
ことを特徴とするプロジェクションシステム。
【請求項３】
請求項１又は請求項２に記載のプロジェクションシステムにおいて、
前記プロジェクターの投写姿勢を調整するプロジェクター調整機構と、
前記スクリーンの設置角度を調整するスクリーン調整機構と、
を備えることを特徴とするプロジェクションシステム。
【請求項４】
請求項３に記載のプロジェクションシステムにおいて、
前記環境光検出手段は、環境光の最も強い角度を検出する角度検出部と、前記スクリーンの投写領域に対する角度を変化させながら走査する走査部と、を備え、
前記スクリーン調整機構は、前記角度検出部により検出された環境光の最も強い角度を避けて前記スクリーンの設置角度を調整する
ことを特徴とするプロジェクションシステム。
【請求項５】
請求項１乃至請求項４のいずれかに記載のプロジェクションシステムにおいて、
前記複数のスクリーンは、帯状の基体上に連続して配列され、
前記スクリーンの互いに対向する巻き取り方向の両端には、前記帯状の基体を巻き取る巻き取り機構が設けられている
ことを特徴とするプロジェクションシステム。
【請求項６】
帯状の基体と、この帯状の基体に連続して配列形成され、投写領域のピークゲインの異なる複数のスクリーンと、
前記スクリーンの互いに対向する巻き取り方向の両端に設けられ、前記帯状の基体を巻き取る巻き取り機構と、
を備えていることを特徴とするスクリーン装置。
【発明の詳細な説明】
【技術分野】
【０００１】
本発明は、プロジェクターなどの光学機器から投射された画像光によりスクリーンに画像を表示するプロジェクションシステム、及びスクリーン装置に関する。
【背景技術】
【０００２】
従来、プロジェクターとスクリーンとを備えたプロジェクションシステムにおいて、環境光に応じて、スクリーンに投射された画像を補正する技術が提案されている（例えば、特許文献１参照）。
特許文献１に記載の技術は、プロジェクターに絞り開口を設け、この絞り開口を大きく又は小さくして光出力を制限することにより、スクリーンの設置された環境に応じてより見やすい画像を得られるようにする構成である。
【先行技術文献】
【特許文献】
【０００３】
【特許文献１】特開２００８−１３９８５７号公報
【発明の概要】
【発明が解決しようとする課題】
【０００４】
しかしながら、前記特許文献１に記載の技術では、プロジェクター側でしか画像を補正することができず、スクリーンに照射される環境光の照射角度や照射強度などによっては、画像を十分に補正することができない場合がある。
【０００５】
本発明の目的は、簡単な構成により、環境光が変化しても良好な画像を得ることができるプロジェクターシステム、及びスクリーン装置を提供することである。
【課題を解決するための手段】
【０００６】
本発明に係るプロジェクションシステムは、
投写領域のピークゲインが異なる複数のスクリーンと、
前記投射領域の環境光を検出する環境光検出手段と、
前記環境光検出手段で検出された環境光に基づいて、前記複数のスクリーンのいずれかを選択するスクリーン選択手段と、
前記スクリーン選択手段により選択されたスクリーンに画像を投射するプロジェクターと、を備えることを特徴とする。
【０００７】
ここで、スクリーンは、例えば、表面に塗料によりガラスビーズを埋設した構成を有するものであり、所定のピークゲインを有する。ピークゲインとは、スクリーンゲインの一番高い数値であり、ピークゲインの違いによって、画像のコントラストが異なる。また、スクリーンに画像光を投射して、最適な画像を得るためには、最適なピークゲインを有するスクリーンを選択するだけでなく、環境光の影響を抑制する必要がある。
このような発明によれば、スクリーン選択手段が、環境光の影響が少ない最適なピークゲインを有するスクリーンを選択するため、良好な画像を簡単な構成で得ることができる。
【０００８】
本発明では、
前記プロジェクターは、表示画質の異なる複数の表示モードを有し、
前記複数の表示モードのいずれかを選択する表示モード選択手段を備えている構成が好ましい。
【０００９】
ここで、表示モードとは、動画に適した「ダイナミック」や「シネマ」、パソコンなどの画像に適した「ＳＲＧＢ」などの照射条件である。
このような発明によれば、表示モード選択手段により、表示モードを適宜変更することができるため、上述のスクリーン選択手段と組み合わせて、さらに最適な画像を得ることができる。
【００１０】
本発明では、
前記プロジェクターの投写姿勢を調整するプロジェクター調整機構と、
前記スクリーンの設置角度を調整するスクリーン調整機構と、を備えることが好ましい。
【００１１】
このような発明によれば、スクリーン選択手段は、環境光検出手段の出力に基づいて、環境光の影響が小さくなるように、スクリーン調整機構によりスクリーンの設置角度を調整することができる。
また、スクリーンの傾斜にあわせて、プロジェクター調整機構により、プロジェクターの投写姿勢をスクリーンに正対するように調整することができるため、ゆがみなどのない良好な画像を得ることができる。
【００１２】
本発明では、
前記環境光検出手段は、環境光の最も強い角度を検出する角度検出部と、前記スクリーンの投写領域に対する角度を変化させながら走査する走査部と、を備え、
前記スクリーン調整機構は、前記角度検出部により検出された環境光の最も強い角度を避けて前記スクリーンの設置角度を調整することが好ましい。
【００１３】
このような発明によれば、スクリーン調整機構は、スクリーンを、環境光の影響が小さい特定の角度に調整することができるため、さらに、良好な画像を得ることができる。
【００１４】
本発明では、
前記複数のスクリーンは、帯状の基体上に連続して配列され、
前記スクリーンの互いに対向する巻取り方向の両端には、前記帯状の基体を巻き取る巻き取り機構が設けられている構成が好ましい。
【００１５】
このような発明によれば、複数のスクリーンを連続して配列しているため、いずれか一方の巻き取り機構にスクリーンを巻き取ることにより、容易に他のスクリーンに変更することができる。
また、スクリーンの両端に巻き取り機構を設けたため、巻き取り機構により互いに異なる方向にスクリーンを巻き取ることにより、画像光が投射されている際、スクリーンがたわむなどの不都合を防止することができる。
【００１６】
本発明に係るスクリーン装置は、
帯状の基体と、この帯状の基体に連続して配列形成され、投写領域のピークゲインの異なる複数のスクリーンと、前記スクリーンの互いに対向する巻き取り方向の両端に設けられ、前記帯状の基体を巻き取る巻き取り機構と、を備えていることを特徴とする。
【００１７】
このような発明によれば、いずれか一方の巻き取り機構にスクリーンを巻き取ることにより、容易に他のスクリーンに変更することができる。
また、スクリーンの両端に巻き取り機構を設けたため、巻き取り機構により互いに異なる方向にスクリーンを巻き取ることにより、画像光が投射されている際、スクリーンがたわむなどの不都合を防止することができる。
【図面の簡単な説明】
【００１８】
【図１】本発明の第１実施形態に係るプロジェクションシステムを示す斜視図。
【図２】前記実施形態における支柱収納部の内部構造を示す斜視図。
【図３】前記実施形態におけるプロジェクションシステムを示す側面図。
【図４】（Ａ）は、前記実施形態における環境光検出手段が走査する状態を示す図であり、（Ｂ）は、前記実施形態における角度検出部の回転角度（β度）と環境光の強度との関係を示す図。
【図５】前記実施形態における巻き取り機構に巻き取られた複数のスクリーンを引き伸ばした状態を示す正面図。
【図６】前記実施形態におけるプロジェクションシステムの構成を示すブロック図。
【図７】前記実施形態におけるプロジェクションシステムの動作を示すフロー図。
【図８】前記実施形態における表示部の画面を示す図。
【図９】（Ａ）は、前記実施形態におけるスクリーンのガラスビーズに半値角よりも小さい角度で環境光が照射される状態を示す図であり、（Ｂ）は、前記実施形態におけるスクリーンのガラスビーズに半値角よりも大きい角度で環境光が照射される状態を示す図。
【図１０】本発明の第２実施形態に係るプロジェクションシステムを示す側面図。
【発明を実施するための形態】
【００１９】
［プロジェクションシステムの構成］
図１〜３に示すように、プロジェクションシステム１は、スクリーン装置２と、プロジェクター装置３とを備え、プロジェクター装置３から投射された画像光をスクリーン装置２に表示するものである。
プロジェクター装置３は、プロジェクター３１と、プロジェクター調整機構３２と、パソコン３４とを備え、これらのプロジェクター３１、プロジェクター調整機構３２、及びパソコン３４は台４に載置されて所定の高さ位置に設置されている。
プロジェクター調整機構３２は、台４に載置された保持部３２１に対してプロジェクター３１を回転可能に保持させた構成である。保持部３２１は，正面視略Ｕ字状体から構成され、Ｕ字上部の両方の端部には、Ｕ字の向き合う側面に軸孔３２２が形成されている。
【００２０】
プロジェクター３１は、両側面の略中央に、軸孔３２２に嵌合する回転軸３２３が設けられている。
この回転軸３２３には、図示しない駆動部が接続されており、この駆動部は、プロジェクター３１を回転軸３２３の軸回りに所定角度（α度）回転させて、プロジェクター３１をスクリーン装置２に正対させる。
プロジェクター３１は、液晶プロジェクターであり、光学系と、投射光学系とを備え、光学系は、光源系から射出された光束を入力される画像情報に応じて変調して画像光を形成し、投射光学系は、光学系により形成された画像光を投射する。
そして、プロジェクター３１は、ケーブル３３を介してパソコン３４に接続されている。
パソコン３４には、後述する制御部３４５が設けられ、この制御部３４５によりスクリーン装置２及びプロジェクター装置３の駆動が制御されている。
【００２１】
［スクリーン装置の構成］
図２に示すように、スクリーン装置２は、基台２１と、支柱収納部２２と、枠体２３と、環境光検出手段２４と、スクリーン調整機構２５と、巻き取り機構２６と、基体２７と、スクリーン２７１と、支柱２８を備える。なお、スクリーン調整機構２５及び巻き取り機構２６は、スクリーン選択手段を構成する。
基台２１は、長尺の板状体として形成され、上面の長手方向の両端部には縦長の一対の支柱収納部２２が立ち上がって設けられている。
支柱収納部２２は、箱状に形成されており、互いに対向する側面に開口２２１が形成されている。一対の支柱収納部２２間には、開口２２１を介して、枠体２３と、巻き取り機構２６と、スクリーン２７１とが配置されている。支柱収納部２２の内部には、支柱２８が収納されている。
図３に示すように、支柱２８は、基台２１の上面の両端から一対立ち上がって固定されている。一方の支柱２８の上端部には、環境光検出手段２４が固定されている。
【００２２】
環境光検出手段２４は、支柱２８の上端面に載置された走査部２４１に、角度検出部２４２を回転可能に保持させた構成である。
角度検出部２４２は、支柱収納部２２の上部から突き出た状態で走査部２４１に保持されており、プロジェクター３１と同様に、図示しない駆動部により回転軸２４３回りに回転する。走査部２４１は、角度検出部２４２を軸回りに回転させることで、鉛直方向に走査する。走査部２４１によって走査された角度検出手段２４２は、太陽光、照明の光などの環境光を検出する。具体的には、角度検出部２４２は、環境光の最も強い照射角度を検出することができる。
例えば、図４（Ａ）に示すように、角度検出部２４２は回転軸２４３回りに所定の回転角度（γ度）にて回転しつつ環境光の照射角度を検出し、図４（Ｂ）に示されるように、角度検出部２４２の回転角度が４５度（γ＝４５）のとき、最も強い環境光を検出する。
なお、角度検出部２４２は、鉛直方向だけでなく、水平方向にも走査可能に設けられていてもよい。
【００２３】
図３に示すように、一対の支柱２８の上側側面には、それぞれ腕部２８１が突出するように連結されている。
一対の腕部２８１は、それぞれ先端に、略同一の直線に沿って貫通した軸孔２８２を有する。一対の腕部２８１間には、この軸孔２８２を介して、枠体２３が垂れ下がるように固定されている。また、一対の支柱２８の下端部には、スクリーン調整機構２５を介して枠体２３の下端部が連結されている。
【００２４】
スクリーン調整機構２５は、シリンダー２５１と、このシリンダー２５１を伸縮させる図示しない駆動部とを有する。駆動部がシリンダー２５１を伸動作させると、上側巻き取り機構２６１のロール軸２６１Ｂの軸回りに枠体２３が回転し、枠体２３の下端部は支柱２８から離れる。これにより、スクリーン２７１は鉛直方向から所定の角度（β度）となるように傾斜する。
一方、駆動部がシリンダー２５１を縮作動させると、ロール軸２６１Ｂの軸回りに枠体２３が回転し、枠体２３の下端部は支柱２８側に移動する。
【００２５】
図２、３に示すように、枠体２３は、一対の縦枠２３１と、これら対向する一対の縦枠２３１間に掛け渡された上横枠２３２及び下横枠２３３を有する。
縦枠２３１は、一対の支柱２８の軸方向に略沿って伸びて設けられている。また、縦枠２３１の上端部には軸孔２３４が形成され、下端部にも軸孔２３４が形成されている。
上横枠２３２は、縦枠２３１の上側の軸孔２３４よりもやや下側の位置にて連結され、下横枠２３３は、縦枠２３１の下側の軸孔２３４よりもやや上側の位置にて連結されている。
縦枠２３１の上側には、上側巻き取り機構２６１が固定され、縦枠２３１の下側には、下側巻き取り機構２６２が固定されている。これら上側巻き取り機構２６１及び下側巻き取り機構２６２により、巻き取り機構２６が構成されている。
【００２６】
上側巻き取り機構２６１は、ロール２６１Ａと、ロール軸２６１Ｂと、図示しない駆動部とを有する。
ロール２６１Ａは、円柱状に形成され、周面には、基体２７の巻き取り方向の端部が固定されて巻かれている。ロール２６１Ａの軸方向の両端面には、ロール軸２６１Ｂが突出して設けられている。
ロール軸２６１Ｂは、腕部２８１の軸孔２８２及び縦枠２３１の上端部の軸孔２３４に嵌合されている。また、ロール軸２６１Ｂは、駆動部に連結されている。
駆動部は、ロール軸２６１Ｂを軸回りに回転させることにより、ロール２６１Ａを周方向に回転させる。このロール２６１Ａの回転により、ロール２６１Ａの周面には、スクリーン２７１を有する基体２７が巻き取られ、あるいは、送りだされる。
下側巻き取り機構２６２も、上側巻き取り機構２６１と同様に、ロール２６２Ａと、ロール軸２６２Ｂと、図示しない駆動部とを有し、ロール軸２６２Ｂは、縦枠２３１の下端部の軸孔２３４に嵌合されている。
上側巻き取り機構２６１と下側巻き取り機構２６２とには、複数のスクリーン２７１を有する基体２７が巻き取られている。
【００２７】
複数のスクリーン２７１は、帯状の基体２７上に連続して配列され、それぞれピークゲインが異なっている。各スクリーン２７１の外側の四隅には、マーク２７２が設けられている。マーク２７２は、基体２７に貼り付けられたテープなどにより構成されていてもよい。
マーク２７２は、上述したように、スクリーン２７１毎に区別されており、例えば、動画に適した「ダイナミック」スクリーン２７１は、１本のマーク２７２で示され、パソコンなどの画像に適した「プレゼンテーション」スクリーン２７１は、２本のマーク２７２で示され、映画のような動画に適した「シアター」スクリーン２７１は、３本のマーク２７２で示され、写真の画像に適した「フォト」スクリーン２７１は、４本のマーク２７２で示されている。
【００２８】
スクリーン２７１には、白色の塗料表面に複数の微細なガラスビーズが埋め込まれている。このガラスビーズは、スクリーン２７１毎に異なっている。つまり、スクリーン２７１毎にピークゲインが異なる。ピークゲインの値が大きいほど、色のコントラストに優れた画像を再現することができる。
また、ガラスビーズは、半値角を有し、半値角が大きくなると、視野角が大きくなり、高いコントラストを得やすくなる。しかし、半値角が大きくなると、環境光の影響を受けやすくなる場合がある。
一方、半値角が小さくなると、環境光の影響を受けにくくなるものの、高いコントラストを得にくくなる。
【００２９】
また、図２，３に示すように、上側巻き取り機構２６１及び下側巻き取り機構２６２には、マーク検出手段２９が接続されている。
マーク検出手段２９は、略Ｌ字状に設けられ、縦枠２３１に連結された基端部２９１と、この基端部２９１からスクリーン２７１の投写領域に沿って配置されたマーク角度検出部２９２とを有する。図５に示すように、マーク角度検出部２９２は、スクリーン２７１毎に対応して設けられたマーク２７２を検出して、スクリーン２７１を識別する。そして、マーク角度検出部２９２が所定のマーク２７２を検出すると、上側巻き取り機構２６１の駆動及び下側巻き取り機構２６２の駆動が停止する。
【００３０】
［パソコンの構成］
プロジェクター調整機構３２、スクリーン調整機構２５、及び巻き取り機構２６は、図６に示されるように、パソコン３４によって制御される。
パソコン３４には、環境光検出手段２４と、プロジェクター調整機構３２と、スクリーン調整機構２５と、巻き取り機構２６と、マーク検出手段２９とが接続されている。ここで、環境光検出手段２４、プロジェクター調整機構３２、スクリーン調整機構２５、及び巻き取り機構２６は、駆動部５を介してパソコン３４に接続されている。
パソコン３４は、環境光検出取込部３４１と、マーク検出取込部３４２と、操作部３４３と、表示部３４４と、制御部３４５と、を有する。
【００３１】
操作部３４３は、リモコン、マウス、キーボードなどであり、観察者が所定のモードを選択することができる。
表示部３４４は、スクリーン２７１に投射する画像を表示するディスプレイである。
環境光検出取込部３４１は、環境光検出手段２４により検出された環境光の最も強い照射角度に関する角度情報を取り込み、この角度情報を制御部３４５に提供する。
マーク検出取込部３４２は、マークの本数に関連付けられたマーク情報を制御部３４５に提供する。
【００３２】
制御部３４５は、記憶部３４５Ａと、表示モード選択手段３４５Ｂと、駆動制御部３４５Ｃとを有する。
記憶部３４５Ａは、プロジェクター３１の角度（α度）を調整するためのプロジェクター角度情報と、スクリーン２７１の角度（β度）を調整するためのスクリーン角度情報と、所定のスクリーン２７１を選択するためのスクリーン情報と、環境光検出手段２４が検出した最も強い環境光の角度に関する角度情報とを記憶している。これらプロジェクター角度情報と、スクリーン角度情報と、スクリーン情報と、環境光の角度情報とはそれぞれ関連付けられている。
表示モード選択手段３４５Ｂは、操作部３４３のリモコンなどにより選択された表示モードに関する選択要求を受け付ける。
【００３３】
制御部３４５は、表示モード選択手段３４５Ｂが受け付けた選択要求と、環境光検出取込部３４１により取り込まれた環境光の角度情報に基づいて、記憶部３４５Ａからプロジェクター角度情報、スクリーン角度情報、及びスクリーン情報をそれぞれ抽出する。
そして、駆動制御部３４５Ｃは、スクリーン角度情報に基づいて、駆動部を制御し、スクリーン調整機構２５にてスクリーン２７１を所定の角度（β度）に傾斜させる。
また、駆動制御部３４５Ｃは、スクリーン情報に基づいて、駆動部を制御し、上側巻き取り機構２６１及び下側巻き取り機構２６２にて、スクリーン２７１を巻き取り、または、送り出す。そして、マーク検出手段２９が所定のスクリーン２７１に関するマーク２７２を検出すると、マーク検出取込部３４２は、マーク情報を受け付ける。そして、駆動制御部３４５Ｃは、上側巻き取り機構２６１の駆動と、下側巻き取り機構２６２の駆動を停止する。これにより、所定のスクリーン２７１がプロジェクター３１の前面に配置される。
さらに、駆動制御部３４５Ｃは、プロジェクター角度情報に基づいて、駆動部を制御し、プロジェクター調整機構３２にてプロジェクター３１を所定の角度（α度）に傾斜させる。これにより、プロジェクター３１は、スクリーン２７１に対して正対する。
【００３４】
このような構成を備える第１実施形態の動作について図８のフローチャートを参照して説明する。
まず、パソコン３４をプロジェクター装置３とスクリーン装置２とに接続する。そして、観察者は、図８に示されるように、操作部３４３を操作して、「ダイナミック」、「プレゼンテーション」、「シアター」、「フォト」、「スポーツ」、「ＳＲＧＢ」のうちからいずれかのモードを選択する。表示モード選択手段３４５Ｂは、このモード選択要求を受けつける（Ｓ１）。
また、環境光検出手段２４は、図４に示すように、最も強い環境光の角度を検出し、環境光検出取込部３４１はその角度情報を取り込む（Ｓ２）。
制御部３４５は、環境光検出取込部３４１が検出した角度情報と、表示モード選択手段３４５Ｂが受け付けたモード選択要求とに基づいて最適なピークゲインを有するスクリーン２７１と、スクリーン２７１の傾斜角度（β度）と、プロジェクター３１の傾斜角度（α度）を決定する（Ｓ３１、Ｓ３２，Ｓ３３）。
【００３５】
そして、駆動制御部３４５Ｃは、上側巻き取り機構２６１と下側巻き取り機構２６２とを駆動させ（Ｓ４１）、マーク検出手段２９が所定のマーク２７２を検出すると（Ｓ５１）、決定されたスクリーン２７１をプロジェクター３１の前面に配置する（Ｓ６１）。
また、駆動制御部３４５Ｃはスクリーン調整機構２５を駆動させ（Ｓ４２）、シリンダー２５１を伸動作させる。これにより、スクリーン２７１が所定の回転角度（β度）にて傾斜する（Ｓ５２）。これにより、図９（Ａ）に示すような環境光が半値角の境界線２７３の内側の領域に入射する状態から、図９（Ｂ）に示すような環境光が境界線２７３の外側の領域に入射する状態になる。
さらに、駆動制御部３４５Ｃは、プロジェクター調整機構３２を駆動して（Ｓ４３）、プロジェクター３１が所定の角度（α度）となるように回転させる（Ｓ５３）。これにより、プロジェクター３１は、スクリーン２７１に正対する。そして、プロジェクター３１は、スクリーン２７１に画像光を投射する。
【００３６】
このような本実施形態に係るプロジェクションシステム１において、環境光検出手段２４により最も強い環境光の照射角度を検出し、検出した照射角度に関する角度情報に基づいてスクリーン２７１を配置する。
従って、環境光の照射角度や照射強度が変化しても、環境光の影響が少なくなるように、最適なピークゲインを有するスクリーン２７１を選択することができる。
【００３７】
［第２実施形態］
次に、本発明の第２実施形態について説明する。尚、以下の説明では、既に説明した部分等については、同一符号を付してその説明を省略する。
前述した第１実施形態に係るプロジェクションシステム１では、前面投射型スクリーン２７１の前面側にプロジェクター装置３を配置した構成を示した。
これに対して、第２実施形態では、背面投射型スクリーン２７１を採用し、スクリーン２７１の背面側にプロジェクター装置３を配置した構成が相違する。
第２実施形態に係るプロジェクター装置３には、リアプロジェクター３１が採用され、リアプロジェクター３１は天井に取り付けられた固定部材４１に吊り下げられて固定されている。
スクリーン装置２は、表示モード選択手段３４５Ｂによりモードの選択要求を受付け、さらに、環境光検出取込部３４１により角度情報を受け付けると、第１実施形態と同様に、巻き取り機構２６及びマーク検出手段２９により、所定のスクリーンを配置し、スクリーン調整機構２５によりスクリーン２７１を所定角度（β度）に傾斜させる。
また、プロジェクター調整機構３２は、プロジェクター３１がスクリーン２７１に正対するように、プロジェクター３１を回転軸３２３回りに所定角度（α度）にて回転させる。
【００３８】
このような第２実施形態に係るプロジェクションシステム１では、前述した第１実施形態の効果に加えて、スクリーン装置２の前面側にプロジェクター３１が配置されていないため、第１実施形態の場合と比較して、プロジェクター３１が設置されるスペースを有効利用することができ、例えば、スクリーン装置２の前面側により多くの観察者を集めることができる。
【００３９】
［実施形態の変形］
尚、本発明は、前述した実施形態に限定されるものではなく、以下に示すような変形をも含むものである。
前記実施形態では、スクリーン装置２は室内に設置される構成を示したが、これに限られない。例えば、スクリーン装置２を建物の壁面に設置してもよい。これにより、スクリーン広告として利用することができる。
また、前記実施形態では、プロジェクターとして、液晶プロジェクターを採用したが、この他に、スライドプロジェクター、オーバーヘッドプロジェクター（ＯＨＰ）、ＣＲＴプロジェクター、ＬＣＯＳ（Ｌｉｑｕｉｄ  Ｃｒｙｓｔａｌ  Ｏｎ  Ｓｉｌｉｃｏｎ）プロジェクター、ＧＬＶ（Ｇｒａｔｉｎｇ  Ｌｉｇｈｔ  Ｖａｌｖｅ）プロジェクターでもよい。
【産業上の利用可能性】
【００４０】
本発明は、屋内や屋外にスクリーンを設置したプロジェクションシステムとして利用することができる。
【符号の説明】
【００４１】
１…プロジェクションシステム、２４…環境光検出手段、２５…スクリーン調整機構、２６…巻き取り機構、２７…基体、２９…マーク検出手段、３１…プロジェクター、３２…プロジェクター調整機構、２４１…走査部、２４２…角度検出部、２７１…スクリーン、３４５Ｂ…表示モード選択手段
【図１】
2010224399.tif 000003
【図２】
2010224399.tif 000004
【図３】
2010224399.tif 000005
【図４】
2010224399.tif 000006
【図５】
2010224399.tif 000007
【図６】
2010224399.tif 000008
【図７】
2010224399.tif 000009
【図８】
2010224399.tif 000010
【図９】
2010224399.tif 000011
【図１０】
2010224399.tif 000012